(57)【特許請求の範囲】
【請求項１】
再生ユニットシャーシにディスクモータを保持し、再生ユニットシャーシを昇降させることによりトレイ上のディスクをディスクモータの回転軸に固着されたターンテーブルによりクランプおよびアンクランプする光ディスク再生装置において、前記再生ユニットシャーシの一辺を弾性体を介して固定シャーシに支持させ、再生ユニットシャーシの前記一辺と対向する他辺を弾性体を介して回動部材に支持させており、前記回動部材はその回動軸が回動中心不変に支持され再生ユニットシャーシの外側に配置される共に再生ユニットシャーシを下降させたときそれと当接して下降位置を位置決めする突起を有することを特徴する光ディスク再生装置の再生ユニットシャーシ昇降機構。
【請求項２】
再生ユニットシャーシにディスクモータを保持し、再生ユニットシャーシを昇降させることによりトレイ上のディスクをディスクモータの回転軸に固着されたターンテーブルによりクランプおよびアンクランプする光ディスク再生装置において、前記再生ユニットシャーシの一辺を弾性体を介して固定シャーシに支持させ、再生ユニットシャーシの前記一辺と対向する他辺を弾性体を介して回動中心軸が不変の回動部材に支持させており、前記回動部材が支持する弾性体であるダンパーは内周部が薄肉で高さが高く、外周部が厚肉で高さが低く、その胴部が再生ユニットシャーシと嵌合しており、前記回動部材が再生ユニットシャーシを上昇させたとき前記ダンパーの内周部のみが回動部材に固定されたダンパー係止部材と当接し、前記回動部材が再生ユニットシャーシを下降させたとき前記ダンパーの外周部が前記ダンパー係止部材と当接して再生ユニットシャーシの下降位置を位置決めすることを特徴する光ディスク再生装置の再生ユニットシャーシ昇降機構。
【発明の詳細な説明】
【０００１】
【発明の属する技術分野】
この発明は光ディスク再生装置に係わり、特に、トレイ上のディスクを再生ユニットシャーシを昇降させることによりクランプおよびアンクランプする光ディスク再生装置の再生ユニットシャーシ昇降機構に関する。
【０００２】
【従来の技術】
トレイ上のディスクを再生ユニットシャーシを昇降させることによりクランプおよびアンクランプする光ディスク再生装置の再生ユニットシャーシ昇降機構の従来の例を図１０により説明する。図に示す固定シャーシ１は筐体に固定状態に支持されており、フレーム３０をその後方に立設された回動軸３０ａ、３０ａを介して回動自在に支持する。
【０００３】
フレーム３０の前方に立設された軸３０ｂ、３０ｂは固定シャーシ１の垂直ガイド溝とスライダ２８のカム溝２８ａ、２８ａを挿通している。スライダ２８は図示していない駆動機構により図示のＡ方向に駆動される。スライダ２８の移動に伴いフレーム３０は軸３０ａ、３０ａ回りのＢ方向に回動する。
【０００４】
再生ユニットシャーシ４はディスクモータおよびその回転軸に固着されたターンテーブル４ａを支持し、また、光ピックアップ４ｂとその駆動機構を支持している。再生ユニットシャーシ４の４隅はダンパー５、５が嵌着されさらに圧縮コイルばね６、６が嵌装されこれらを挿通して段付きねじ７、７がフレーム３０にねじ込まれ浮動状態に支持されている。
【０００５】
フレーム３０が上方に回動するときは、ターンテーブル４ａが図示していないトレイ上のディスクを持ち上げターンブル４ａの上方に配置された図示していないクランパーと協動してディスクをクランプする。ディスクがクランプされた状態でディスクの再生が行われる。
【０００６】
上記した従来の光ディスク再生装置では、再生ユニットシャーシをフレームで支持してフレーム全体を回動させるため、駆動される部材が大きく構造が大型となりスペース効率が悪かった。また、部品も大型であるために製造コストが高くなるという問題があった。
【０００７】
図９に上記問題点を改善するために駆動される部材を小さくした再生ユニットシャーシ昇降機構の例を示す。この例では回動部材３の前方に立設された軸３ｂは固定シャーシ１の垂直ガイド溝とスライダ２８のカム溝２８ａを挿通している。スライダ２８は図示していない駆動機構により図示のＡ方向に駆動される。スライダ２８の移動に伴い回動部材３は回動軸３ａ、３ａ回りに回動する。図９において、図１０に用いた同じ符号を付した部材は図１０で説明したものと同じであり、その詳細な説明を省略する。この例では回動部材３は図１０に示したフレーム３０より小さくなり装置を小型にすることができる。
【０００８】
図５および図６に図９に示したものと同様に再生ユニットシャーシ昇降を昇降させるために駆動される部材を小さくし、また、再生ユニットシャーシ昇降のための駆動源と、スライドテーブルの駆動源を共通にした光ディスク再生装置の例を示す。図５は再生ユニットシャーシ４およびその昇降機構と図６に示すスライドテーブル２１の駆動機構を示す分解斜視図であり、図６はロータリトレイ２２およびその駆動機構とスライドテーブル２１を示す分解斜視図である。
【０００９】
図５に示す固定シャーシ１は筐体に固定状態に支持されており、再生ユニットシャーシ４およびその昇降機構を支持している。固定シャーシ１に一体形成されたガイド部１ａは筐体に固定状態に支持されたスライドテーブルガイド２と共に図６に示すスライドテーブル２１を筐体外に出入自在に支持している。
【００１０】
再生ユニットシャーシ４はディスクモータおよびその回転軸に固着されたターンテーブル４ａを支持し、また、光ピックアップ４ｂとその駆動機構を支持している。再生ユニットシャーシ４の後方の２隅はダンパー５、５が嵌着されさらに圧縮コイルばね６、６が嵌装されこれらを挿通して段付きねじ７、７が固定シャーシ１にねじ込まれ浮動状態に支持されている。再生ユニットシャーシ４の前方の２隅はダンパー５、５が嵌着されさらに圧縮コイルばね６、６が嵌装されこれらを挿通して段付きねじ７、７が回動部材３にねじ込まれ浮動状態に支持されている。
【００１１】
回動部材３は、後方に立設された回動軸３ａ、３ａが固定シャーシ１に回動自在に支持され、前方に設けられた軸３ｂが再生ユニットシャーシ昇降カム８のカム溝８ａと係合しており、再生ユニットシャーシ昇降カム８の回動に伴い軸３ａ、３ａ回りに回動する。
【００１２】
再生ユニットシャーシ昇降カム８はギヤ付きプーリ１２と共に固定シャーシ１に設けられた軸１ｂに回転自在に支持されている。固定シャーシ１に設けられた円弧状のガイド溝１ｃは再生ユニットシャーシ昇降カム８の裏面に設けられた凸部（図示していない）と係合し、再生ユニットシャーシ昇降カム８の回動を案内する。ギヤ付きプーリ１２には固定シャーシ１に支持されたモータ１１の回転がベルト１３を介して伝えられる。
【００１３】
２段ギヤ１４、１５および１６は再生ユニットシャーシ昇降カム８に回転自在に支持されており、ギヤ付きプーリ１２と共に減速ギヤ列を構成している。最終段の２段ギヤ１６の軸１６ａは図６に示すスライドテーブル２１のガイド溝付きボス２１ｂに設けられたＵ字形のガイド溝と係合している。また、２段ギヤ１６の小歯車はスライドテーブル２１のラック付きボス２１ａに設けられたＵ字形のラックと噛合っている。
【００１４】
モータ１１により２段ギヤ１６が回転されるが、その小歯車がＵ字形のラックの直線部と噛合っているときは軸１６ａもＵ字形のガイド溝の直線部と係合しており、スライドテーブル２１はモータ１１により筐体から出入する方向に駆動される。２段ギヤ１６の小歯車がＵ字形のラックの円弧部と噛合っているときは軸１６ａもＵ字形のガイド溝の円弧部と係合しており、スライドテーブル２１は移動せず、再生ユニットシャーシ昇降カム８は回動し回動部材３を介して再生ユニットシャーシ４を昇降させる。すなわち、再生ユニットシャーシ４は後端辺を回動中心として回動される。
【００１５】
再生ユニットシャーシ４が上方に回動するときは、ターンテーブル４ａが図２に示すロータリトレイ２２上のディスクを持ち上げターンブル４ａの上方に配置されたクランパー１０と協動してディスクをクランプする。なお、クランパー１０は筐体に支持されたクランパー保持部材９に浮動状態に支持されている。
【００１６】
ディスクがクランプされた状態が再生状態である。このとき再生ユニットシャーシ昇降カム８は図５において上から見て反時計方向に回動しており、この状態でスライドテーブル２１はモータ１１により筐体から出入される。２段ギヤ１６の小歯車がＵ字形のラックの後端外側と噛合っている状態ではターンテーブル４ａが下降しスライドテーブル２１が筐体から突出した状態である。
【００１７】
この状態からモータ１１をターンテーブル４ａ上昇方向に回転させると、先ずスライドテーブル２１が筐体内に入り込んだ後ターンテーブル４ａが上昇する。さらに、モータ１１を同方向に回転させると、スライドテーブル２１が筐体外に突出する。
【００１８】
ターンテーブル４ａの上昇位置は固定シャーシ１に支持されたマイクロスイッチ１８により検出される。スライドテーブル２１の突出位置および筐体内位置は固定シャーシ１に支持された２位置検出のマイクロスイッチ１７により検出される。
【００１９】
スライドテーブル２１に回転自在に支持されたロータリトレイ２２は図６に示すように３か所にディスクを載置する凹部２２ｄ、２２ｄ…が形成されている。なお、図６（ａ）はスライドテーブル２１およびロータリトレイ２２を使用状態の姿勢で示す斜視図であり、図６（ｂ）はロータリトレイ２２を裏返した状態で示す斜視図である。スライドテーブル２１に支持されたモータ２４はベルト２５を介してスライドテーブル２１に回転自在に支持されたギヤ付きプーリ２６を回転させる。
【００２０】
ギヤ付きプーリ２６のウォームはスライドテーブル２１の軸２１ｃに回転自在に支持された２段ギヤ２７のウォームと噛合っており、２段ギヤ２７の小歯車はロータリトレイ２２のギヤ２２ｃと噛合っている。
【００２１】
モータ２４はロータリトレイ２２を回転させて凹部２２ｄ、２２ｄ…上のディスクをターンテーブル４ａ上に移動させる。ロータリトレイ２２の再生されるデクのアドレスはロータリトレイ２２の穴２２ａにより検出され、停止位置はリブ２２ｂに設けたスリットにより検出される。
【００２２】
穴２２ａはディスクを載置する夫々の凹部２２ｄ、２２ｄ…に対応して１個、２個および３個開けられており、これらの穴を透過する光をプリント基板２３に設けられた受光素子２３ｂが検出することによりターンテーブル４ａに近付く凹部２２ｄのアドレスを認識する。
【００２３】
凹部２２ｄのアドレスが認識された後リブ２２ｂに設けたスリットをプリント基板２３に設けられたフォトインタラプタ２３ａが検出することによりロータリトレイ２２の停止位置が検出され、モータ２４の回転を停止させることにより選択されたディスクがターンテーブル４ａ上に停止する。なお、プリント基板２３はスライドテーブル２１に取付けられており、穴２２ａに向けて光を放射する発光素子（図示していない）は筐体に取付けられている。
【００２４】
図８に上記図９および図５に示した再生ユニットシャーシ昇降機構に用いられるダンパー５の形状を示す。図に示すようにダンパー５の上部は薄肉の回転楕円体の一部を形成している。この上部が座付きねじ７と当接する。
【００２５】
図７にこのようなダンパー５を再生ユニットシャーシ４と図９および図５に示した回動部材３との間に組み付けた状態を示している。なお、回動部材３の形状は図７では簡略化している。図７（ａ）は回動部材３が上方に回動して再生ユニットシャーシを上昇させた状態を示し、図７（ｂ）は回動部材３が下方に回動して再生ユニットシャーシを下降させた状態を示している。
【００２６】
図に示すように回動部材３が下方に回動したときはダンパー５の上部薄肉部が変形している。ダンパー５はゴム弾性を有する材料で作られているため、硬度のばらつき等があり、このような変形の状態は一定しない。そのために再生ユニットシャーシを下降させた状態では再生ユニットシャーシの位置が一定とならないという問題があった。
【００２７】
【発明が解決しようとする課題】
この発明は上記した点に鑑みてなされたものであって、その目的とするところは、駆動される部材を小さくした再生ユニットシャーシ昇降機構において、再生ユニットシャーシの位置決めを正確に行う手段を提供することである。
【００２８】
【課題を解決するための手段】
この発明の光ディスク再生装置の再生ユニットシャーシ昇降機構は、再生ユニットシャーシにディスクモータを保持し、再生ユニットシャーシを昇降させることによりトレイ上のディスクをディスクモータの回転軸に固着されたターンテーブルによりクランプおよびアンクランプする光ディスク再生装置において、前記再生ユニットシャーシの一辺を弾性体を介して固定シャーシに支持させ、再生ユニットシャーシの前記一辺と対向する他辺を弾性体を介して回動部材に支持させており、前記回動部材はその回動軸が回動中心不変に支持され再生ユニットシャーシの外側に配置される共に再生ユニットシャーシを下降させたときそれと当接して下降位置を位置決めする突起を有するものである。
【００２９】
また、この発明の光ディスク再生装置の再生ユニットシャーシ昇降機構は、再生ユニットシャーシにディスクモータを保持し、再生ユニットシャーシを昇降させることによりトレイ上のディスクをディスクモータの回転軸に固着されたターンテーブルによりクランプおよびアンクランプする光ディスク再生装置において、前記再生ユニットシャーシの一辺を弾性体を介して固定シャーシに支持させ、再生ユニットシャーシの前記一辺と対向する他辺を弾性体を介して回動中心軸が不変の回動部材に支持させており、前記回動部材が支持する弾性体であるダンパーは内周部が薄肉で高さが高く、外周部が厚肉で高さが低く、その胴部が再生ユニットシャーシと嵌合しており、前記回動部材が再生ユニットシャーシを上昇させたとき前記ダンパーの内周部のみが回動部材に固定されたダンパー係止部材と当接し、前記回動部材が再生ユニットシャーシを下降させたとき前記ダンパーの外周部が前記ダンパー係止部材と当接して再生ユニットシャーシの下降位置を位置決めするものである。
【００３０】
【発明の実施の形態】
この発明の実施例である光ディスク再生装置を図面に基づいて説明する。図１は再生ユニットシャーシ４およびその昇降機構と図６で説明したスライドテーブル２１の駆動機構を示す分解斜視図である。なお、図１に示す機構の上方には図６に示す機構が配置される。図１において、図５の従来例で示したものと同様の機能を有する部分は同一の符号が付されており、その詳細な説明を省略する。
【００３１】
図１に示す実施例では、図５で示した回動部材３が回動部材２９により置き換えられている。回動部材２９のその回動軸２９ａ、２９ａが再生ユニットシャーシ４に対して外側に配置されている。回動部材２９の軸２９ｂは再生ユニットシャーシ昇降カム８のカム溝８ａと係合する。そして、再生ユニットシャーシ４の上面と対向するように突起２９ｃ、２９ｃが設けられている。
【００３２】
図２に上記回動部材２９が回動する状態を示している。なお、回動部材２９の形状は図２では簡略化している。図２（ａ）は回動部材２９が上方に回動して再生ユニットシャーシ４を上昇させた状態を示し、図２（ｂ）は回動部材２９が下方に回動して再生ユニットシャーシを下降させた状態を示している。図２（ｂ）に示す状態では回動部材２９の突起２９ｃが再生ユニットシャーシ４の上面と当接しており、再生ユニットシャーシ４の下降位置が正確に位置決めされる。
【００３３】
図３にこの発明の他の実施例で用いられるダンパー３１の形状を示す。このダンパー３１は、図５または図９で示した再生ユニットシャーシ昇降機構におけるダンパー５、５…の内の回動部材３で支持されるものに代わって用いられている。このダンパーの外周部の肉厚Ｔは内周部の肉厚ｔよりも厚く、外周部の高さＨは内周部の高さｈよりも低くなっている。
【００３４】
図４に上記回動部材３が回動する状態を示している。なお、回動部材３の形状は図４では簡略化している。図４（ａ）は回動部材３が上方に回動して再生ユニットシャーシ４を上昇させた状態を示し、図４（ｂ）は回動部材３が下方に回動して再生ユニットシャーシ４を下降させた状態を示している。図４（ａ）に示す状態ではダンパー３１の内周部が座付きねじ７と当接しており、再生ユニットシャーシ４は浮動状態に支持される。
【００３５】
図４（ｂ）に示す状態ではダンパー３１の外周部が座付きねじ７と当接しており、ダンパー３１の外周部は肉厚が厚くその高さ寸法は安定しているので再生ユニットシャーシ４の下降位置が安定する。
【００３６】
【発明の効果】
この発明の光ディスク再生装置の再生ユニットシャーシ昇降機構によれば、駆動される部材を小さくしてスペース効率を良くし、しかも再生ユニットシャーシの位置決めを正確に行うことができる。
【００３７】
また、請求項２の再生ユニットシャーシ昇降機構では従来のものダンパーを変えるだけでよく、開発のコストを安くすることができる。
【図面の簡単な説明】
【図１】この発明の実施例である光ディスク再生装置の部分を示す分解斜視図である。
【図２】同光ディスク再生装置の作用を説明するための部分断面図である。
【図３】この発明の他の実施例に用いられるダンパーの断面図である。
【図４】同実施例の光ディスク再生装置の作用を説明するための部分断面図である。
【図５】従来の光ディスク再生装置の部分を示す分解斜視図である。
【図６】同光ディスク再生装置の他の部分を示す分解斜視図である。
【図７】同光ディスク再生装置の作用を説明するための部分断面図である。
【図８】同光ディスク再生装置に用いられるダンパーの断面図である。
【図９】従来の他の光ディスク再生装置の部分を示す分解斜視図である。
【図１０】さらに他の従来例の光ディスク再生装置の部分を示す分解斜視図である。
【符号の説明】
１  固定シャーシ、１ａ  ガイド部、１ｂ  軸、１ｃ  ガイド溝
２  スライドテーブルガイド
３  回動部材、３ａ  回動軸、３ｂ  軸
４  再生ユニットシャーシ、４ａ  ターンテーブル、４ｂ  光ピックアップ
５  ダンパー
６  圧縮コイルばね
７  座付きねじ
８  再生ユニットシャーシ昇降カム、８ａ  カム溝
９  クランパー保持部材
１０  クランパー
１１  モータ
１２  ギヤ付きプーリ
１３  ベルト
１４、１５、１６  ２段ギヤ、１６ａ  軸
１７、１８  マイクロスイッチ
２１  スライドテーブル、２１ａ  ラック付きボス、２１ｂ  ガイド溝付きボス、２１ｃ  軸
２２  ロータリトレイ、２２ａ  穴、２２ｂ  リブ、２２ｃ  ギヤ、２２ｄ  凹部、２２ｅ  ボス
２３  プリント基板、２３ａ  フォトインタラプタ、２３ｂ  受光素子
２４  モータ
２５  ベルト
２６  ギヤ付きプーリ
２７  ２段ギヤ
２８  スライド部材、２８ａ  カム溝
２９  回動部材、２９ａ  回動軸、２９ｂ  軸、２９ｃ  突起
３０  フレーム、３０ａ  回動軸、３０ｂ  軸
３１  ダンパー
【図１】
0003576824.tif 000002
【図２】
0003576824.tif 000003
【図３】
0003576824.tif 000004
【図４】
0003576824.tif 000005
【図５】
0003576824.tif 000006
【図６】
0003576824.tif 000007
【図７】
0003576824.tif 000008
【図８】
0003576824.tif 000009
【図９】
0003576824.tif 000010
【図１０】
0003576824.tif 000011